(57)【要約】【課題】本考案の納骨壇構造体は、それぞれ、複数のプレートと、該複数のプレートを互いに離間して支持する支持体からなる雛壇が、固定されないで、選択可能に載置されるための、所定の開口幅、開口高さおよび奥行きを有する空間が設けることにより、納骨壇内部の装飾の選択余地を広げ、遺族の満足の行く納骨壇の提供することを目的とする。【解決手段】本考案の納骨壇構造体は、それぞれ、複数のプレートと、該複数のプレートを互いに離間して支持する支持体からなる雛壇が、固定されないで、選択可能に載置されるための、所定の開口幅、開口高さおよび奥行きを有する空間が設けられてなることを特徴とする。【選択図】図１
0003134100.tif 000002
【実用新案登録請求の範囲】
【請求項１】
それぞれ、複数のプレートと、該複数のプレートを互いに離間して支持する支持体からなる雛壇が、固定されないで、選択可能に載置されるための、所定の開口幅、開口高さおよび奥行きを有する空間が設けられてなる納骨壇構造体。
【請求項２】
前記空間の開口部内側面に照明が設けられてなる請求項１記載の納骨壇構造体。
【請求項３】
前記空間の開口部内側面に欄間が設けられてなる請求項１または２記載の納骨壇構造体。
【請求項４】
前記空間内の雛壇上部に屋根が設けられてなる請求項１、２または３のいずれかに記載の納骨壇構造体。
【請求項５】
前記空間の開口部に扉が設けられてなる請求項１、２、３または４のいずれかに記載の納骨壇構造体。
【考案の詳細な説明】
【技術分野】
【０００１】
本考案は、納骨壇構造体に関する。さらに詳しくは、それぞれ、複数のプレートと、該複数のプレートを互いに離間して支持する支持体からなる雛壇が、固定されないで、選択可能に載置されるための、所定の開口幅、開口高さおよび奥行きを有する空間が設けられてなる納骨壇構造体に関する。
【背景技術】
【０００２】
近年、お墓が不足し、納骨堂に納骨をする必要性が高まってきており、納骨壇の需要が高まってきている。通常の納骨壇は、上段に雛壇などを設ける礼拝スペース、下段に納骨スペースが設けられている。また、そのような上段に礼拝スペース、下段に納骨スペースを設けた納骨壇を、２段若しくは３段またはそれ以上に積み重ねた状態で設置している場合もある。さらには、自動倉庫のように、納骨壇を別の場所に保管し、固有の番号を入力すれば納骨壇が運ばれてくる構造になっている納骨堂もある。しかしながら、上記のように納骨壇を置くスペースに配慮したものは多数存在するが、現在寺院に設置されている納骨壇はあらかじめ同じ納骨壇が並んで設置され、雛壇なども据え付けのものであり、遺族に内部についての選択の余地がなく、遺族の満足のいく納骨壇を提供できていない。また、あらかじめ雛壇などが据え付けられているため、寺院等が納骨堂を建築し、納骨壇を設置する際にも初期費用が高くつくという費用上の問題点もある。
【考案の開示】
【考案が解決しようとする課題】
【０００３】
本考案の納骨壇構造体は、それぞれ、複数のプレートと、該複数のプレートを互いに離間して支持する支持体からなる雛壇が、固定されないで、選択可能に載置されるための、所定の開口幅、開口高さおよび奥行きを有する空間が設けることにより、納骨壇内部の装飾の選択余地を広げ、遺族の満足の行く納骨壇の提供をすることを目的とする。
【課題を解決するための手段】
【０００４】
上記目的を達成するため、本考案の納骨壇構造体は、それぞれ、複数のプレートと、該複数のプレートを互いに離間して支持する支持体からなる雛壇が、固定されないで、選択可能に載置されるための、所定の開口幅、開口高さおよび奥行きを有する空間が設けられてなる。
【０００５】
また、本考案の納骨壇構造体は、前記空間の開口部内側面に照明が設けられてなることが好ましい。
【０００６】
また、本考案の納骨壇構造体は、前記空間の開口部内側面に欄間が設けられてなることが好ましい。
【０００７】
また、本考案の納骨壇構造体は、前記空間内の雛壇上部に屋根が設けられてなることが好ましい。
【０００８】
また、本考案の納骨壇構造体は、前記空間の開口部に扉が設けられてなることが好ましい。
【考案の効果】
【０００９】
本考案の納骨壇構造体を納骨堂内に設置することにより、納骨壇内部の装飾の選択余地を広げ、遺族の満足の行く納骨壇を提供することができる。また、納骨堂を建築する際の寺院の納骨壇を設置する初期費用を抑えることができる。
【考案を実施するための最良の形態】
【００１０】
次に、添付図面を参照して、本考案の納骨壇構造体を詳細に説明する。
【００１１】
図１〜図３は、本考案の納骨壇構造体を説明するための図、図４は、本考案の納骨壇構造体の他の一例を説明するための図、図５の（ａ）は、本考案に用いられる納骨壇に組み込む照明とその周辺器具を説明するための斜視図であり、図５の（ｂ）は、照明とその周辺器具を凹所に組み込んだ状態を説明するための断面図である。図６および図７は、本考案の納骨壇構造体に載置される雛壇の一例を示す図である。図８の（ａ）、（ｂ）および図９は、本考案の納骨壇構造体内部に屋根を設けた一実施の形態である。
【００１２】
図１は、本考案の納骨壇構造体を説明するための図であり、雛壇が固定されないで、載置されている図である。納骨壇１に空間Ｓ１と空間Ｓ２が設けられ、空間Ｓ１には雛壇３が載置されている。なお、雛壇３は本考案の必須の構成である。図１では、雛壇３は、上段３３、中段３２と下段３１の３段になっているが、雛壇３は３段である必要はなく、遺族の好みに応じて自由に選択することができる。空間Ｓ２は納骨壷などが納められるスペースである。空間Ｓ１とＳ２の開口幅、開口高さ、奥行きは特に限定されないが、それぞれ開口幅は２０〜９０ｃｍであることが好ましく、開口高さは２０〜１００ｃｍであることが好ましく、奥行きは２０〜９０ｃｍであることが好ましい。
【００１３】
図２は、本考案の納骨壇構造体を説明するための図であり、納骨壇を２段重ねにした状態である。図３は、本考案の納骨壇構造体を説明するための図であり、納骨壇を３段重ねにした状態である。なお、納骨壇の段数は２段、３段に限られることはない。また、スペース効率を考えて、正面視で前面を礼拝部、後面を納骨部とすることもできる。
【００１４】
図４は、本考案の納骨壇構造体の他の一例を説明するための図である。本考案の納骨壇は、納骨壇の内装の選択の余地を広げることが目的であるため、雛壇３だけでなく、納骨壇１の空間Ｓ１の内側面に照明２や欄間５０を設けることができる。さらに、空間Ｓ１の開口部に扉４を設けることもできる。扉４や照明５３、欄間５０は、空間Ｓ１内に設置されるだけでなく、空間Ｓ２にもうけることもできる。また、雛壇３が設置される空間Ｓ１と納骨スペースである空間Ｓ２が逆であってもかまわない。
【００１５】
図５の（ａ）は、本考案に用いられる納骨壇に組み込む照明とその周辺器具を説明するための斜視図であり、図５の（ｂ）は、本考案に用いられる照明とその周辺器具を凹所に組み込んだ状態を説明するための断面図である。
【００１６】
空間Ｓ１を構成する面のうち、上面には照明用の電源２が引き込まれている。例えば、図５の（ａ）に示されるような照明器具用支持部材５１を空間Ｓ１の上部に取り付ける（図５の（ｂ）参照）。符号５１ａは、側壁５３ｂと、鍔状体５３ａと、板バネ５３ｃとから構成された照明５３を装着するための孔である。この照明器具用支持部材５１の正面には、図５の（ａ）に示されるように、欄間のような模様が施された正面板５２を設けることが好ましい。このような模様が施されていることにより、意匠面に配慮することができる。なお、照明５３は本考案において、上面に取り付ける必要はなく、両側面や、背面から間接照明のような態様で使用することもできる。さらに、板バネ５３ｃの数は図５の（ａ）および図５の（ｂ）に示されるような４枚に限定されるものではない。
【００１７】
このように納骨壇１を構成する部品を空間Ｓ１に組み込む形態を用いることにより、他の納骨壇と差別化することができる。
【００１８】
図６および図７は、本考案の納骨壇構造体に載置される雛壇の一例を示す図である。なお雛壇は、本考案において必須の構成要素である。図７を参照すると、雛壇４１は、３つのプレート４２ａ、４２ｂ、４２ｃとからなるプレート群４２と、プレート４２ａとプレート４２ｂとを離間し、水平に支持する円筒状（または角柱状）の中間支持体４３ａと、プレート４２ｂとプレート４２ｃとを離間し、水平に支持する円筒状（または角柱状）の中間支持体３ｂとから構成されている。
【００１９】
プレート４２ａ、４２ｂ、４２ｃと、中間支持体４３ａ、４３ｂとは接着剤によって固着されるか、図７に示されるように、中間支持体４３の上端および下端に雄螺子４３ｍを設け、中間支持体４３とプレート４２ａおよび４２ｂとのあいだにスペーサＣを介在させ、スペーサＣに雌螺子Ｒを設けて雄螺子４３ｍと雌螺子とを螺合させることによってプレート４２ａ、４２ｂと、中間支持体４３とを固着される。なお、雛壇はこの形状に限定されるものではない。例えば、階段状などの雛壇であってもよい。
【００２０】
図８の（ａ）、（ｂ）および図９は、本考案の納骨壇構造体内部に屋根を設けた一実施の形態である。図８の（ａ）、（ｂ）および図９のように空間Ｓ１内部の雛壇３の上部に屋根Ｒｏ（宮殿）を設けることにより、納骨壇としての価値が高まり、遺族の納骨壇への要望に幅広くこたえることができる。また、見栄えが華やかになるという視覚的効果もある。図８の（ａ）の屋根は、唐破風と呼ばれる屋根の形状であり、図９の屋根Ｒｏは、千鳥破風と呼ばれる屋根の形状である。なお、屋根Ｒｏの形状は図８の（ａ）、（ｂ）および図９で示した形状に限られることはなく、さらに装飾を施すことも可能である。また、屋根Ｒｏは納骨壇１に直接螺子等によって固定することもできるし、納骨壇１の空間Ｓ１の内側上部から吊り下げ部材Ｈ等により吊り下げることもできるし、照明器具用支持部材５１等に固定することもできる。また、図８の（ｂ）に示されるように、欄間５０と照明器具用支持部材５１との間に屋根Ｒｏを配設してもよい。
【図面の簡単な説明】
【００２１】
【図１】本考案の納骨壇構造体を説明するための図である。
【図２】本考案の納骨壇構造体を説明するための図である。
【図３】本考案の納骨壇構造体を説明するための図である。
【図４】本考案の納骨壇構造体の他の一例を説明するための図である。
【図５】（ａ）は、本考案に用いられる納骨壇に組み込む照明とその周辺器具を説明するための斜視図であり、（ｂ）は、本考案に用いられる照明とその周辺器具を凹所に組み込んだ状態を説明するための断面図である。
【図６】本考案の納骨壇構造体に載置される雛壇の一例を示す図である。
【図７】本考案の納骨壇構造体に載置される雛壇の一例を示す図である。
【図８】（ａ）は、本考案の納骨壇構造体内部に屋根を設けた一実施の形態であり、（ｂ）は、本考案の納骨壇構造体内部に屋根を設けた一実施の形態である。
【図９】本考案の納骨壇構造体内部に屋根を設けた一実施の形態である。
【符号の説明】
【００２２】
１  納骨壇
２  照明用の電源
３、４１  雛壇
４  扉
３１、３２、３３、４２ａ、４２ｂ、４２ｃ  プレート
４３ａ、４３ｂ  中間支持体
４３ｍ  雄螺子
５０  欄間
５１  照明器具用支持部材
５１ａ  孔
５２  正面板
５３ａ  鍔状体
５３ｂ  側壁
５３ｃ  板バネ
Ｃ  スペーサ
Ｈ  吊り下げ部材
Ｒ  雌螺子
Ｒｏ  屋根
Ｓ１、Ｓ２  空間
Ｗ  壁体
【図１】
0003134100.tif 000003
【図２】
0003134100.tif 000004
【図３】
0003134100.tif 000005
【図４】
0003134100.tif 000006
【図５】
0003134100.tif 000007
【図６】
0003134100.tif 000008
【図７】
0003134100.tif 000009
【図８】
0003134100.tif 000010
【図９】
0003134100.tif 000011